(57)【要約】【課題】中継基板ユニットの交換作業の効率化を図り、遊技店の売上を高める。【解決手段】筐体１２の正面開口部１４１０から中継基板ユニット３６を筐体１２の内部に挿入し、前板３６０４の上部の両側の上係止部４６のねじ挿通孔４６０２に上部ねじ５０の頭部を挿通し、中継基板ユニット３６を下方に下ろす。これにより前板３６０４の下部の両側の下係止部４８の下係止溝４８０２が下部ねじ５２の軸部に係合し、また、前板３６０４の上部の両側の上部下係止部４８の上係止溝４６０４に上部ねじ５０の軸部が係合する。それら上部ねじ５０、下部ねじ５２を締め付ける。これにより、中継基板ユニット３６は上下方向および左右方向並びに前後方向に位置決めされた状態で筐体１２の内部に装着される。【選択図】図６
2018015106.tif 000002
【特許請求の範囲】
【請求項１】
筐体と、
前記筐体の正面開口部から筐体内部に配置される制御部と、
前記筐体内部で前記制御部と前記筐体の背面板との間に配置され前記制御部と各種装置との間で信号の授受を司る中継基板ユニットと、
を備え遊技機に併設される遊技媒体貸出機であって、
前記中継基板ユニットは、前記筐体の内部の適宜箇所に係脱可能に係止する係止部を介して前記筐体内部に配置され、
前記中継基板ユニットは、前記制御部を前記正面開口部から取り外し、前記係止部の前記筐体内部の適宜箇所への係止を解除することで、前記正面開口部から取り外し可能に配置されている、
ことを特徴とする遊技媒体貸出機。
【請求項２】
前記制御部は、前記制御部が筐体内部に収容された状態で前記正面開口部を閉塞する制御部側正面板をさらに備える、
ことを特徴とする請求項１記載の遊技媒体貸出機。
【請求項３】
前記筐体内部には、前記係止部を係脱可能に係止するねじを螺入するねじ孔が、前記正面開口部側に向かって開設されている、
ことを特徴とする請求項１又は２に記載の遊技媒体貸出機。
【請求項４】
前記係止部は、前記中継基板ユニットに開設された、前記ねじを挿通するダルマ穴又は係止溝で構成されている、
ことを特徴とする請求項３に記載の遊技媒体貸出機。
【請求項５】
前記筐体の背面には、前記各種装置のうち前記遊技媒体貸出装置とは別の外部装置と前記中継基板ユニットとを接続するケーブルを保持するケーブルクランプを備える、
ことを特徴とする請求項１乃至４のいずれか１項に記載の遊技媒体貸出機。
【発明の詳細な説明】
【技術分野】
【０００１】
本発明は、遊技機に併設される遊技媒体貸出機に関する。
【背景技術】
【０００２】
従来、遊技店には、スロットマシンのような遊技機が複数並べて配置されている。
そして、各遊技機に隣接してメダル（遊技媒体）の払い出しを行なう遊技媒体貸出機が併設されている。
遊技媒体貸出機は、遊技者が貨幣を貨幣投入口に投入することで、あるいは、所定のカード媒体をカード挿入口に挿入することで、メダルの払い出しを行なう。
遊技媒体貸出機は、筐体と、遊技者が投入する貨幣を識別するビルバリユニットと、遊技媒体の払い出しを行なう払い出しホッパと、遊技媒体の計数を行なう計数ホッパと、制御部と、中継基板ユニットなどを含んで構成されている。
制御部は、ビルバリユニット、ディスプレイ、払い出しホッパ、計数ホッパなどの制御を行う制御基板を備え、制御基板には中継基板ユニットと接続される制御基板側コネクタが設けられている。
中継基板ユニットは、制御基板と通信を行なう各種装置との間で信号の授受を司るものであり、中継基板ユニットには制御基板側コネクタと接続される中継基板ユニット側コネクタが設けられている。
筐体は、縦長直方体形状を呈し、底板と、底板の両側から起立する一対の側板と、側板の上端を接続する天板とを含んで中空状に構成された筐体本体を備え、筐体本体の正面側の開口である正面開口部は複数の正面板で閉塞され、背面側の開口である背面開口部は複数の背面板で閉塞され、これにより筐体が構成される。
制御部、ビルバリユニット、払い出しホッパ、計数ホッパは、正面開口部から筐体内部に収容される。
一方、中継基板ユニットは、筐体の背面側から背面開口部に位置合わせし、制御基板側コネクタと中継基板ユニット側コネクタとを接続させ、この状態で中継基板ユニットを筐体にねじを介して筐体の背面側から取り付けるようにしている。
【先行技術文献】
【特許文献】
【０００３】
【特許文献１】特開２００４−２０２０２３号公報
【発明の概要】
【発明が解決しようとする課題】
【０００４】
しかしながら、上記従来技術では、中継基板ユニットの故障が発生するなどして中継基板ユニットの交換が必要となった場合、いったん遊技機の間から遊技媒体貸出機の筐体を取り外す作業を行い、次いで、筐体の背面側から中継基板ユニットを取り付けているねじを外して中継基板ユニットを交換する必要がある。
したがって、遊技機の間から遊技媒体貸出機の筐体を取り外すといった大掛かりで面倒な作業が必要となるため、中継基板ユニットの交換作業の効率化を図る上で不利がある。
また、遊技機の間から遊技媒体貸出機の筐体を取り外す大掛かりな作業は、遊技店の営業時間中に行なうことが難しいため、営業時間中は、中継基板ユニットの故障が発生した遊技媒体貸出機の使用を停止し、遊技店の営業時間外で中継基板ユニットを交換せざるを得ない。
そのため、遊技機の稼動効率が低下し、遊技店の売上の低下を招く不利がある。
本発明は、上記事情に鑑みなされたものであり、本発明の目的は、中継基板ユニットの交換作業の効率化を図り、遊技店の売上を高める上で有利な遊技媒体貸出機を提供することにある。
【課題を解決するための手段】
【０００５】
上記目的を達成するために、本発明は、筐体と、前記筐体の正面開口部から筐体内部に配置される制御部と、前記筐体内部で前記制御部と前記筐体の背面板との間に配置され前記制御部と各種装置との間で信号の授受を司る中継基板ユニットと、を備え遊技機に併設される遊技媒体貸出機であって、前記中継基板ユニットは、前記筐体の内部の適宜箇所に係脱可能に係止する係止部を介して前記筐体内部に配置され、前記中継基板ユニットは、前記制御部を前記正面開口部から取り外し、前記係止部の前記筐体内部の適宜箇所への係止を解除することで、前記正面開口部から取り外し可能に配置されていることを特徴とする。
【発明の効果】
【０００６】
本発明によれば、中継基板ユニットは、筐体の正面開口部から取り外し可能に配置されている。
したがって、中継基板ユニットの交換が必要となった場合、正面開口部から中継基板ユニットを取り出すことができ、従来のように遊技機の間から遊技媒体貸出機の筐体を取り外すといった面倒な作業を簡略化することができるので、中継基板ユニットの交換作業の効率化を図る上で極めて有利となる。
また、遊技店の営業時間中にも中継基板ユニットの交換を行なうことができるようになるため、遊技機の稼動効率を高め、遊技店の売上を高める上で極めて有利となる。
【図面の簡単な説明】
【０００７】
【図１】（Ａ）は実施の形態に係る遊技媒体貸出機の正面図、（Ｂ）は実施の形態に係る遊技媒体貸出機の側面図である。
【図２】制御部を筐体の正面開口部から引き出した状態を示す斜視図である。
【図３】制御部が取り外された筐体を正面から見た図である。
【図４】筐体に取り付けられた中継基板ユニットを筐体の背面から見た図である。
【図５】（Ａ）は中継基板ユニットの正面図、（Ｂ）は中継基板ユニットの側面図、（Ｃ）は中継基板ユニットの背面図である。
【図６】（Ａ）は中継基板ユニットを筐体の正面開口部から挿入した状態を示す斜視図、（Ｂ）は上係止部、下係止部に上部ねじ、下部ねじをそれぞれ挿入した状態を示す斜視図である。
【図７】（Ａ）は中継基板ユニットを下方におろした状態を示す斜視図、（Ｂ）は上部ねじ、下部ねじを締め付けて中継基板が筐体に取り付けられた状態を示す斜視図である。
【発明を実施するための形態】
【０００８】
以下、本発明の実施の形態について添付図面を参照して説明する。
図１（Ａ）、（Ｂ）に示すように、遊技媒体貸出機１０は、遊技媒体を用いて遊技を行なう遊技機、例えば、スロットマシン等に併設される装置である。本実施の形態では、遊技媒体としてメダルを用いる場合について説明する。
遊技媒体貸出機１０は、筐体１２と、筐体本体１４と、ビルバリユニット１６と、制御部１８と、中継基板ユニット３６と、払い出しホッパ２０と、計数ホッパ２１と、ノズルシュート２２と、ノズル２４と、計数遊技媒体受け皿２６と、受け皿用蓋２８とを含んで構成されている。
【０００９】
筐体本体１４は、縦長直方体形状を呈し、底板１４０２と、底板１４０２の両側から起立する一対の側板１４０４と、側板１４０４の上端を接続する天板１４０６とを含んで中空状に構成されている。
筐体本体１４の正面側の開口である正面開口部１４１０は複数の正面板で閉塞され、背面側の開口である背面開口部１４１２は複数の背面板１５（図２、図４参照）で閉塞され、これにより筐体１２が構成される。
筐体１２の内部には、上から順番にビルバリユニット１６、制御部１８、払い出しホッパ２０、計数ホッパ２１が収納されている。
複数の正面板は、ビルバリユニット用正面板１６Ａ、制御部側正面板１８Ａ、開閉蓋３０、下部正面板３２を含んで構成されている。
【００１０】
ビルバリユニット１６は、遊技者が投入する貨幣を識別するものであり、正面開口部１４１０のうちビルバリユニット１６の正面側はビルバリユニット用正面板１６Ａで閉塞され、ビルバリユニット用正面板１６Ａには、貨幣を投入する貨幣投入口１６０２が設けられている。
制御部１８は、遊技媒体貸出機１０の各種制御を行なうものである。
制御部１８は、正面開口部１４１０のうち制御部１８の正面側は制御部１８と一体に形成された制御部側正面板１８Ａで閉塞され、制御部側正面板１８Ａには、カード挿入口１８０２、タッチパネル式モニタ１８０４が設けられている。
カード挿入口１８０２には、遊技者の情報が記録されたカードが挿入され、制御部１８によってカードの情報の読み取り、書き込みがなされる。
タッチパネル式モニタ１８０４には、払い出したメダル数、獲得したメダル数などの遊技者の遊技状況が制御部１８によって表示される。
【００１１】
制御部１８の下方には開口３４が設けられている。開口３４は、払い出しホッパ２０にメダルを補充する部分であり、制御部側正面板１８Ａの下方に位置する正面開口部１４１０の部分で構成され、開口３４は、開閉蓋３０で開閉される。開閉蓋３０は専用のキーをキー孔３０１０に差し込むことで開閉操作が許容される。
払い出しホッパ２０は、開口３４から投入されたメダルを収容すると共に、制御部１８から指定された枚数のメダルをノズルシュート２２に払い出すものである。
正面開口部１４１０の下部には下部正面板３２が着脱可能に取着されており、開閉蓋３０で閉塞される正面開口部１４１０の部分の下方から正面開口部１４１０の下端までが下部正面板３２で閉塞される。
計数ホッパ２１は、計数遊技媒体受け皿２６に投入されたメダルの枚数を計数するものであり、メダルの計数結果は制御部１８に供給される。
【００１２】
ノズルシュート２２は、払い出しホッパ２０から払い出されたメダルを受け入れてノズル２４に導く部分であり、ノズルシュート２２は、下部正面板３２に一体に形成されている。
ノズル２４は、ノズルシュート２２から導かれたメダルを遊技機の下皿（不図示）に導くものであり、ノズルシュート２２に揺動可能に結合されたノズル本体２４０２と、ノズル本体２４０２の先端に設けられたノズルトップ２４０４とを含んで構成される。
【００１３】
下部正面板３２は、筐体１２の内部と反対に位置する正面３２０２を有し、この正面３２０２は筐体１２の正面を構成している。
計数遊技媒体受け皿２６は、下部正面板３２の正面３２０２でノズルシュート２２の上に設けられている。
【００１４】
制御部１８についてより詳細に説明すると、制御部１８は、上述のタッチパネル式モニタ１８０４に加えて、図１、図２に示すように、制御部用筐体３８と、リーダライタ４０と、制御基板４２とを含んで構成されている。
リーダライタ４０は、制御部側正面板１８Ａの背面に設けられている。
制御基板４２は、制御部用筐体３８に収容されている。
制御基板４２は、制御基板側コネクタ４２０２を有しており、制御部用筐体３８が筐体１２の内部に収容された状態で制御基板側コネクタ４２０２が、後述する中継基板ユニット３６の中継基板ユニット側コネクタ３６０２に接続されるように構成されている。
制御基板４２は、以下の機能を有している。
１）リーダライタ４０、タッチパネル式モニタ１８０４の制御を行なう。
２）中継基板ユニット３６を介してビルバリユニット１６、払い出しホッパ２０、計数ホッパ２１などの遊技媒体貸出装置１０の各部との間で信号の授受を行い各部の制御を行なう。
３）中継基板ユニット３６を介してホールコンピュータや遊技島に設けられた遊技媒体補給装置などの遊技媒体貸出装置１０とは別の装置との間で各種情報の授受を行う。具体的には、ホールコンピュータとはイーサネット（登録商標）（ＬＡＮ）で通信を行ない、また、売上信号などの通信も行なう。
【００１５】
中継基板ユニット３６は、制御部１８と筐体１２の背面板１５との間に配置された状態で制御基板４２に接続され、制御基板４２と、制御基板４２と通信を行なう各種装置との間で信号の授受を司るものである。
制御基板４２と通信を行なう各種装置とは、上述したビルバリユニット１６、払い出しホッパ２０、計数ホッパ２１のように遊技媒体貸出装置１０に設けられた装置と、ホールコンピュータや遊技島に設けられた遊技媒体補給装置、遊技媒体回収装置、表示装置、紙幣搬送装置のように遊技媒体貸出装置１０とは別の外部装置とを含んでいる。
【００１６】
図５（Ａ）〜（Ｃ）に示すように、中継基板ユニット３６は、中継基板ユニット側コネクタ３６０２が設けられた前板３６０４と、前板３６０４の背面に取着された中継基板３６０６と、この中継基板３６０６を覆うカバー３６０８とを備え、カバー３６０８の背面には中継基板３６０６の各種の通信コネクタ３６１０を露出させる開口３６１２が複数設けられている。
中継基板ユニット側コネクタ３６０２は、制御基板側コネクタ４２０２に接続され、複数の通信コネクタ３６１０は、少なくとも外部装置とそれぞれケーブル９８（図１参照）を介して接続されるものである。
【００１７】
図５（Ａ）、（Ｂ）に示すように、前板３６０４に、中継基板ユニット３６を筐体１２内部の背面板１５寄りの箇所に係脱可能に配置するための係止部４４が設けられている。
本実施の形態では、係止部４４は、２つの上係止部４６と２つの下係止部４８とを含んで構成されている。
例えば上係止部４６は、前板３６０４の上部の両側に設けられている。
上係止部４６は、例えばダルマ穴を用いることができ、筐体１２内部の背面板１５寄りの箇所に正面開口部１４１０側に向かって開設されたねじ孔に螺入されている上部ねじ５０（図３参照）の頭部に係脱可能に設けられている。
すなわち上係止部４６は、上部ねじ５０の頭部よりも内径の大きいねじ挿通孔４６０２と、ねじ挿通孔４６０２の上部から上部ねじ５０の頭部よりも小さく上部ねじ５０の軸部よりも大きい寸法の幅で上方に延在する上係止溝４６０４とを含んで構成されている。なお、上係止部４６は上記の上部ねじ５０を用いて係止するものに限られず、係止ピン等の他の係止手段を用いることもできる。また、上係止部４６の形状は上述のダルマ穴に限定されるものではなく、丸孔や係止溝、その他の孔形状を用いることもできる。
【００１８】
また、下係止部４８は、前板３６０４の下部の両側に設けられている。
例えば下係止部４８は、筐体１２内部の背面板１５寄りの箇所に正面開口部１４１０側に向かって開設されたねじ孔に螺入されている下部ねじ５２（図３参照）の頭部に係脱可能に設けられている。
すなわち下係止部４８は、下部ねじ５２の頭部よりも小さく下部ねじ５２の軸部よりも僅かに大きい寸法の幅の下方に開放状の下係止溝４８０２を含んで構成されている。
なお、上部ねじ５０の頭部とねじ挿通孔４６０２との位置を合わせると、下係止溝４８０２は下部ねじ５２から外れた位置となる。なお、下係止部４８は上記の下部ねじ５２を用いて係止するものに限られず、係止ピン等の他の係止手段を用いることもできる。また、下係止部４８の形状は上述の係止溝に限定されるものではなく、丸孔やダルマ穴、その他の孔形状を用いることもできる。
【００１９】
次に制御部１８と中継基板ユニット３６との筐体１２への組み付けについて説明する。
まず、図６（Ａ）に示すように、筐体１２の正面開口部１４１０から中継基板ユニット３６を筐体１２の内部に挿入し、図６（Ｂ）に示すように、前板３６０４の上部の両側の上係止部４６のねじ挿通孔４６０２に上部ねじ５０の頭部を挿通し、図７（Ａ）に示すように、中継基板ユニット３６を下方に下ろす。
これにより前板３６０４の下部の両側の下係止部４８の下係止溝４８０２が下部ねじ５２の軸部に係合し、また、前板３６０４の上部の両側の上部下係止部４８の上係止溝４６０４に上部ねじ５０の軸部が係合する。
【００２０】
次に、それら上部ねじ５０、下部ねじ５２を締め付ける。これにより、図３、図７（Ｂ）に示すように、中継基板ユニット３６は上下方向および左右方向並びに前後方向に位置決めされた状態で筐体１２の内部に装着される。
なお、複数の通信コネクタ３６１０に接続される相手側のコネクタのケーブル９８は余裕を持った長さとしているので、中継基板ユニット３６を筐体１２の内部に挿入する際に、それらケーブル９８を引き出して複数の通信コネクタ３６１０に相手側のコネクタを接続させておく。なお、１乃至複数本のケーブル９８は、筐体１２の背面側で中継基板ユニット３６よりも上方の箇所に配置したケーブルクランプ９９を用いて束ねておくと、中継基板ユニット３６の着脱作業が容易となる。
【００２１】
中継基板ユニット３６を正面開口部１４１０から筐体１２の内部に装着したならば、制御部１８を筐体１２の正面開口部１４１０から筐体１２の内部に挿入し、制御部１８を押し込むことで制御基板側コネクタ４２０２を中継基板ユニット側コネクタ３６０２に接続させることができる。ここで、中継基板ユニット側コネクタ３６０２を、前板３６０４に対して筐体１２の正面視上下左右に少量変位可能としたフローティング構造を採用すると、中継基板ユニット側コネクタ３６０２に対する制御部１８の装着が容易となる。更に、案内ピン３６０３を立設させて制御部１８と係合可能な構造を採用することによって、更に中継基板ユニット側コネクタ３６０２に対する制御部１８の装着が容易となる。正面開口部１４１０は、制御部側正面板１８Ａで閉塞される。
なお、制御部１８は、例えば開閉蓋３０が開口３６１２を閉塞した状態で筐体１２から取り出すことができず、開口３６１２が開放された状態で制御部１８は筐体１２から取り出すことが可能となる構造を採用することができる。このとき、開閉蓋３０は、キー操作により初めて開放できるので、制御部１８は、不正に取り外されることがない。
【００２２】
次に中継基板ユニット３６を筐体１２から取り外す場合について説明する。
まず、開閉蓋３０を開いてから制御部１８を筐体１２から取り出す。
制御部１８を筐体１２から取り外すと正面開口部１４１０が露出し、正面開口部１４１０と中継基板ユニット３６との間は開放された空間となっている。
次に、正面開口部１４１０から筐体１２の内部に工具等と手を挿入して、上部ねじ５０と下部ねじ５２を緩める。
【００２３】
上部ねじ５０と下部ねじ５２を緩めたならば、中継基板ユニット３６を上方に持ち上げて、上部ねじ５０の頭部にねじ挿通孔４６０２の位置を合わせる。上部ねじ５０の頭部にねじ挿通孔４６０２の位置を合わせると、上述のように、下係止溝４８０２は下部ねじ５２から外れた位置となる。
すなわち、中継基板ユニット３６を上方に持ち上げて、上部ねじ５０の頭部にねじ挿通孔４６０２の位置を合わせて、中継基板ユニット３６を正面開口部１４１０の方向に向けて引き出して、筐体１２から取り出す。
なお、複数の通信コネクタ３６１０に接続される相手側のコネクタのケーブル９８は余裕を持った長さとしているので、中継基板ユニット３６を正面開口部１４１０に向けて移動させると、それらケーブル９８は引き出されるので、複数の通信コネクタ３６１０から相手側のコネクタプラグを取り外すことが容易となる。その後に、中継基板ユニット３６を筐体１２から取り外すことができる。
【００２４】
本実施の形態によれば、中継基板ユニット３６は、正面開口部１４１０から取り外し可能に配置されている。
したがって、中継基板ユニット３６の交換が必要となった場合に、筐体１２の正面開口部１４１０から中継基板ユニット３６を取り出すことができる。したがって従来のように、遊技機の間から遊技媒体貸出機の筐体１２を取り外した後に、中継基板ユニット３６を取り外すといった面倒な作業を簡略化することができるので、中継基板ユニット３６の交換作業の効率化を図る上で極めて有利となる。
そのため、従来は遊技店の営業時間外で中継基板ユニット３６を交換せざるを得なかったのに対して、遊技店の営業時間中にも中継基板ユニット３６の交換を行なうことができるようになるため、遊技機の稼動効率を高め、遊技店の売上を高める上で極めて有利となる。
【符号の説明】
【００２５】
１０  遊技媒体貸出機
１２  筐体
１４１０  正面開口部
１５  背面板
１８  制御部
１８Ａ  制御部側正面板
３６  中継基板ユニット
４４  係止部
４６  上係止部
４８  下係止部
５０  上部ねじ
５２  下部ねじ
９８  ケーブル
９９  ケーブルクランプ
【図１】
2018015106.tif 000003
【図２】
2018015106.tif 000004
【図３】
2018015106.tif 000005
【図４】
2018015106.tif 000006
【図５】
2018015106.tif 000007
【図６】
2018015106.tif 000008
【図７】
2018015106.tif 000009